(57)【要約】【課題】    子どもの医薬品等の誤飲を防止するため、子どもには開封が困難であり、高齢者には開封が容易である医薬品の包装容器であり、また意表をつく構造で話題性があり、デザインも優れ用途の広い包装容器を提供することである。【解決手段】    正面板、上面板、背面板、下面板、および左右の側面板を有し１枚のブランクシートから打ち抜かれて製造される包装容器において、正面板，左右の側面板の３個の面板が各々互いに連続した切断部を有し、該３個の面板の各上下部が重なり合い、背面板の折れ目を外側が鋭角になるように折り曲げることにより、該３個の面板の上下部の重なりが外れ開封される構造で、また下面板および上面板がワンタッチ構造であることを特徴とする包装容器による。【選択図】図４
2019026382.tif 000002
【特許請求の範囲】
【請求項１】
正面板、上面板、背面板、下面板、および左右の側面板を有し１枚のブランクシートから打ち抜かれて製造される包装容器において、正面板，左右の側面板の３個の面板が各々互いに連続した切断部を有し、該３個の面板の各上下部が重なり合い、背面板の折れ目を外側が鋭角になるように折り曲げることにより、該３個の面板の上下部の重なりが外れ開封される構造で、また下面板および上面板がワンタッチ構造であることを特徴とする包装容器。
【請求項２】
正面板、左右の側面板の切断部のいずれかに差込みフラップが連接し、対応する案内スリットに差込みフラップを差込むことで包装容器を封緘することを特徴とする請求項１記載の包装容器。
【請求項３】
該折れ目を有する背面板の上端あるいは／および下端に開封口が印刷されていることを特徴とする請求項１記載の包装容器。
【発明の詳細な説明】
【技術分野】
【０００１】  本発明は商品を収納する包装容器で、特に子どもの誤飲防止を目的とした包装容器に関する。
【背景技術】
【０００２】  医薬品、食品、化粧品等の子どもの誤飲は大きな問題である。これを防止するための技術として、ＰＴＰシートを収納する包装容器（特許文献１）、ヒンジ部が工夫された包装容器（特許文献２）が提案されている。いずれも開封するためには２動作が必要で、子どもには開けにくい包装容器であるが、３才程度の幼児は板紙製の箱を強引に破壊して開けることができ、このような開封に２動作が必要な包装容器でも子どもの誤飲防止対策としては不十分である。
【先行技術文献】
【特許文献】
【０００３】
【特許文献１】特開２０１７−７６９１号
【特許文献２】特開２０１６−１７５６５８号
【発明の概要】
【発明が解決しようとする課題】
【０００４】    子どもには開封が困難であり、高齢者には開封が容易である医薬品の包装容器を提供することである。また包装容器に商品充填後に糊付け作業が不要な包装容器を提供することである。また意表をつく構造の包装容器で話題性があり、デザインも優れている包装容器を提供することである。
【課題を解決するための手段】
【０００５】本発明は、
（１）正面板、上面板、背面板、下面板、および左右の側面板を有し１枚のブランクシートから打ち抜かれて製造される包装容器において、正面板，左右の側面板の３個の面板が各々互いに連続した切断部を有し、該３個の面板の各上下部が重なり合い、背面板の折れ目を外側が鋭角になるように折り曲げることにより、該３個の面板の上下部の重なりが外れ開封される構造で、また下面板および上面板がワンタッチ構造であることを特徴とする包装容器。
（２）正面板、左右の側面板の切断部のいずれかに差込みフラップが連接し、対応する案内スリットに差込みフラップを差込むことで包装容器を封緘することを特徴とする第１項記載の包装容器。
（３）該折れ目を有する背面板の上端あるいは／および下端に開封口が印刷されていることを特徴とする第１項記載の包装容器。
、である。【０００６】  本発明の包装容器とは医薬品、食品等の商品を収納し、外部からの衝撃から収納した商品を保護する包装容器である。また商品の説明、宣伝を記載する、良好なデザインで商品の価値を高める、また店頭での展示を容易にするといった効果も求められる。本発明の包装容器は１枚のブランクシートを展開図に従い打抜き、折りたたむことで形成される。包装容器の材質に特に制限はなく板紙、段ボールを用いることができ、板紙がより好ましい。板紙としてはノーコートボール、コートボール、マニラボール、黄色板紙、色板紙を用いることができるがノーコートボール、コートボールがより好ましく、コートボールが、強度が高く、印刷適正に優れている点で最も好ましい。紙の厚さは坪量で１５０〜７５０ｇ／ｍ２が好ましく、２００〜７００ｇ／ｍ２がより好ましく、２３０〜６８０ｇ／ｍ２が最も好ましい。紙の坪量が小さ過ぎると強度が不足し収納された商品が破損することがあり好ましくない。また紙の坪量が大き過ぎると包装容器の製造が困難になり、また重量も堆積も増し、より大きい保管スペースが必要になり好ましくない。【０００７】  図４の展開図を用いて本発明の包装容器１の各部構成を説明する。図４は包装容器１の表側、すなわち包装容器１を組み立てた際に外側になる面を示している。折れ線ａ〜ｈにおいて展開図の裏側が鋭角になるように折り込む。糊代側板２０ａを背面板５ａの裏面に、また糊代側板２０ｂを背面板５ｂの裏面に各々接着する。糊代底板１３ａ、ｂの各裏面に糊を塗布し、各々下面フラップ１１ａ，ｂの表面に接着する。上面第２フラップ１２ａ，ｂを上方に押し上げてワンタッチ構造を形成する。また糊代底板１６ａ、ｂの各裏面に糊を塗布し、各々下面フラップ１４ａ，ｂの表面に接着する。下面第２フラップ１５ａ，ｂを下方に押し下げてワンタッチ構造を作り立体的な箱を形成する。なおワンタッチ構造ができあがる時に、１３ｂおよび１２ｂの境の折れ線、１３ａおよび１２ａの境の折れ線、１７ｂおよび１６ｂの境の折れ線、１７ａおよび１６ａの境の折れ線が表側に折れ曲がる。商品を充填後に差込板６を案内スリット８に差し込むことで封緘する。封緘は差込み板の代わりに封緘テープを用いても良い。本発明の包装容器は上記のように上下面板のワンタッチ構造を形成する前は、平面構造であり保管スペースが小さくでき、ハンドリングも容易で好ましい。包装容器を立体構造にした後に容易に商品を充填でき好ましい。【０００８】  本発明の包装容器において正面板，左右の側面板の３個の面板が各々互いに連続した切断部を有するとは、図４の展開図において正面板、左側面板、右側面板の各切断部３２、３１ａ、３１ｂ，３３が連続していることを示す。同様に該３個の面板の切断部３５、３６、３４が連続していることを示す。なお切断部３１ａ、３１ｂは差込板６を介して連続している。【０００９】  正面板，左右の側面板の各上下部が重なり合うとは、正面板上部２ａが下部の２ｂの内側に入り、同様に右側面板の上部３ａが下部３ｂの内側に、また左側面板の上部４ａが下部４ｂの外側にあり、各面板の上部と下部が重なっている部分を有することを示す。該３個の面板の重なり部分の上下方向（正面板の左右の���に平行な方向）の長さの最大値は１５〜５０ｍｍが好ましく、２５〜３５ｍｍがより好ましい。この重なりの長さが長すぎると開封時に引っかかり開封し難くなり、短かすぎると封緘の強さが弱くなり意図せず開封する事故が起き易く好ましくない。長さが最大値になる部位は正面板と左右側面板との境界のいずれかの辺であることが好ましい。図４の展開図に示したように差込片が左側面板にある場合は、上下の重なり部分の長さの最大値は正面板と右側面板の境界部分、逆に差込片が右側面板にある場合は、上下の重なり部分の長さの最大値は正面板と左側面板の境界部分にあることが好ましい。上下の重なり部分の長さの最大値を示す場所がこれらの部位にあると、該最大値の大きさをより大きくでき、封緘の強度を大きくでき好ましい。【００１０】  背面板５ａ，ｂの折れ線９を外側が鋭角になるように折り曲げることにより、正面板，左右の側面板の重なり部分の重なりが外れ、包装容器を開封することができる。開封した状態を図２，図３の斜視図で示した。包装容器は上面板あるいは側面板を引き上げて破壊する等の方法で開封するものが多いが、本発明の包装容器は全体を二つに折ることで開封することができる。意表をつく開封方法であり子どもには分かり難いため子どもによる誤飲事故を防止できる。一方開封方法を包装容器に印刷し示すことで大人は容易に開封することができる。【００１１】  本発明の包装容器は下面板および上面板がワンタッチ構造である。ワンタッチ構造を図４の展開図で説明する。上面板を形成する糊代底板１３ａ、ｂの各裏面に糊を塗布し、各々下面フラップ１１ａ，ｂの表面に接着し、上面第２フラップ１２ａ，ｂを上方に押し上げてワンタッチ構造を形成する。上面第２フラップ１２ａと１２ｂが互いにかみ合うことで構造が固定される。図１の斜視図に上面板のワンタッチ構造を包装容器の外部から見た図を示したように、上面第２フラップ１２ａと１２ｂが互いにかみ合うことで構造が固定される。また図５に上面板のワンタッチ構造を内部から見た様子を示した。このように上面第２フラップ１２ａと１２ｂが互いにかみ合う構造である。内部に商品を充填すると外部から押した場合に商品が押さえになるため上面板を押し込めず、この上面板のワンタッチ構造を開封することができない。また下面板のワンタッチ構造も上面板と同じように形成され同様にこじ開けることができない強固な構造となる。下面板および上面板が共にワンタッチ構造のため商品充填後に糊付け作業が不要である。なおワンタッチ構造は各糊代底板が各上下面フラップに接着され紙厚が厚くなっているため通常の天面フラップを差し込む構造よりはるかに強固であり、大人の力でもこじ開けることができず好ましい。【００１２】  本発明の包装容器は正面板、左右の側面板の切断部のいずれかに差込みフラップが連接し、対応する案内スリットに差込み封緘することができる。差込板の両下端に切り込みをいれることが好ましい。差込板の最大幅は対応する案内スリットの最大幅より１〜３ｍｍ大きいことが好ましい。【００１３】  本発明の包装容器は背面板の上端あるいは／および下端に指を掛ける開封口が印刷されていることが好ましい。開封口は周囲と異なる色であることが好ま��い。開封口は半円、楕円、長方形、正方形等のいずれの形でも良いが、直径１０ｍｍの半円より大きい面積であることが好ましい。子どもはこの開封口に目が行き開封口に指を掛け上面板あるいは下面板を押し開けようとするが、両面板ともにワンタッチ構造であるのでこじ開けることができない。また背面板は折れ線９で外側鋭角には曲がるが、内側鋭角には曲がれないので背面板の開封口を押し上げても背面板は変形せず持ちこたえることができる。これで子どもの誤飲を防止できる。一方子どもには読めないが、大人には読める文章で開封方法を正面板等に記載すれば、大人は容易に開封でき好ましい。したがって正面板の開封口を印刷すると子どもでも開封でき好ましくない。
【発明の効果】
【００１４】  子どもには開封が困難であり、高齢者には開封が容易である医薬品の包装容器を提供することができた。また意表をつく構造の包装容器で話題性があり、デザインも優れている包装容器を提供することができた。子どもの誤飲防止をできかつデザインが優れ、話題性があるため多くの用途に用いることができる。誤飲防止を目的とした包装容器には使い難いものが多くデザインも限定され話題性もなかったが、本発明の包装容器は誤飲防止に役立つだけでなく使い易く、デザインも目を惹くため多用途に用いることができ好ましい。
【図面の簡単な説明】
【００１５】
【図１】実施例１に係る包装容器の開封前の斜視図である。
【図２】図１の包装容器の開封後の斜視図である。
【図３】図１の包装容器の開封後の斜視図である。
【図４】図１の包装容器の展開図である。
【図５】図１の包装容器の上面板のワンタッチ構造の説明図である。
【発明を実施するための形態】
【００１６】  以下、実施例により詳細に説明する。
【実施例１】
【００１７】＜本発明の包装容器サンプル１の作成＞
図４の展開図を用いて本発明の包装容器１の組み立ての実施形態を説明する。坪量３００ｇの表面が白色の板紙コートボールを用い図３の展開図に従って包装容器を作成した。白色の板紙コートボールの白色面を表側（図４に表示されている面）にし全面青色に印刷した。正面板には白色文字で「上下を持ち裏側に折り曲げる」と開封方法を表示した。背面板の上部５ａの上端中央にオレンジ色の直径２０ｍｍの半円形を直線部が折れ線ｌに接するように印刷した。同様にして背面板の下部５ｂの下端中央にオレンジ色の直径２０ｍｍの半円形を直線部が折れ線ｍに接するように印刷した。なお包装容器サンプル１のサイズは正面板、右側面板、背面板の幅は５０ｍｍ、左側面板の幅は４９ｍｍ、これら４個の面板の高さは１３５ｍｍであった。谷部分のサイズの比率は図４の展開図の比率通りに作成した。折れ線ａ〜ｈを展開図の裏側方向に折り込み、糊代側板２０ａを背面板５ａの裏側に、また糊代側板２０ｂを背面板５ｂの裏側に各々接着した。糊代底板１３ａ、ｂの各裏面に糊を塗布して、各々上面フラップ１１ａ，ｂの表面に接着した。上面第２フラップ１２ａ，ｂを上方に押し上げてワンタッチ構造を形成した。また糊代底板１６ａ、ｂの各裏面に糊を塗布して、各々下面フラップ１４ａ，ｂの表面に接着した。下面第２フラップ１５ａ，ｂを下方に押し下げてワンタッチ構造を作り立体的な箱を形成した。商品を充填後に差込板６を案内スリット８に差し込み封緘した。
正面板，左右の側面板の３個の面板の上下の部分の重なり長さが最大になるのは、正面板と右側面板の境界で切断部３５と３６の交点と、同３３と３２の交点の間の長さで、３３ｍｍであった。なお３５と３６の交点が包装容器の内側になる。【００１８】  ３歳の子ども５人に商品を入れ封緘した包装容器サンプル１を渡し、開けるように言ったところ５人とも背面部のオレンジ色の半円形を押して開けようとしたが、ワンタッチ構造が強固なため開封できなかった。一方８０歳の男性５人に同様に商品を入れ封緘した包装容器サンプル１を渡したところ、５人とも正面板の説明文を読み、上下を持ち裏側に折り曲げ容易に開封できた。子どもは開封できず、高齢者は容易に開封でき、子どもの誤飲防止用の包装容器として好ましかった。また意表を突く開け方で、デザイン性も優れ高齢者に好評であった。
【符号の説明】
【００１９】１            包装容器
２ａ，ｂ      正面板上部、下部
３ａ，ｂ      右側面板上部、下部
４ａ，ｂ      左側面板上部、下部
５ａ，ｂ      背面板上部、下部
６            差込板
７            切り込み
８            案内スリット
９            折れ線
１１ａ，ｂ    上面フラップ
１２ａ，ｂ    上面第２フラップ
１３ａ，ｂ    糊代底板
１４ａ，ｂ    下面フラップ
１５ａ，ｂ    下面第２フラップ
１６ａ，ｂ    糊代底板
２０ａ，ｂ    糊代側板
３１ａ，ｂ、３２、３３、３４，３５，３６    切断部
ａ〜ｈ，ｍ，ｎ，ｐ，ｑ    折れ線
【図１】
2019026382.tif 000003
【図２】
2019026382.tif 000004
【図３】
2019026382.tif 000005
【図５】
2019026382.tif 000006
【図４】
2019026382.tif 000007